(57)【要約】【課題】扉内部のプライバシーを確実に守ることが出来て、しかも出入口の開閉がスムーズに行なえる出入口用扉装置を提供する。【解決手段】巻き取り可能なシート材から形成されて前記出入口を開閉するスライドシートと、出入口の上方に設けられた前記スライドシートの巻き取り装置が備えられ、前記出入口の左右両側部にはスライドシートにおける左右両端部の挿入口を備えたガイドカバーが上下方向に設けられると共に、このガイドカバー内には上下方向に延びるガイドレールが配設され、前記スライドシートの下端部両側には、前記ガイドレールに沿って移動可能とした移動体が設けられ、スライドシートにおける前記挿入口内に挿入された左右両端部には前記挿入口からの抜け止めのための抜け止め部が長さ方向ほぼ全長にわたって形成され、前記スライドシートの下端部には通気口が設けられた。【選択図】図３
2011058195.tif 000002
【特許請求の範囲】
【請求項１】
建屋の出入口を開閉するための出入口用扉装置であって、巻き取り可能なシート材から形成されて前記出入口を開閉するスライドシートと、出入口の上方に設けられた前記スライドシートの巻き取り装置が備えられ、前記出入口の左右両側部にはスライドシートにおける左右両端部の挿入口を備えたガイドカバーが上下方向に設けられると共に、このガイドカバー内には上下方向に延びるガイドレールが配設され、前記スライドシートの下端部両側には前記ガイドレールに沿って移動可能とした移動体が設けられ、前記スライドシートにおける前記挿入口内に挿入された左右両端部には前記挿入口からの抜け止めのための抜け止め部が長さ方向ほぼ全長にわたって形成されていることを特徴とする出入口用扉装置。
【請求項２】
前記スライドシートの下端部には通気口が設けられていることを特徴とする請求項１に記載の出入口用扉装置。
【請求項３】
前記スライドシートにはほぼ水平方向に延びる補強骨部が所定間隔毎に設けられていることを特徴とする請求項１または２に記載の出入口用扉装置。
【発明の詳細な説明】
【技術分野】
【０００１】
本発明は、主として建屋内におけるトイレなどの出入口に取り付ける扉装置に関する。
【背景技術】
【０００２】
一般に建屋内におけるトイレなどの出入口には、片開き式の扉が出入口の側部の縦柱に揺動可能に取り付けられている。
【０００３】
そして以上の片開き式の扉は、扉に取り付けられたノブを持って開閉するようにしているが、トイレなどの狭い場所では特に扉の揺動範囲が規制されてしまって、扉を全開することが困難であるし、例えば身体障害者や老人では、扉を開け閉めする際、出入口に対して体を前後に移動させる必要も生じるので、開け閉めがどうしても困難となる。
【０００４】
そこで、従来からスライドシートを用いた扉装置も提案されている。
【０００５】
即ち、この扉装置は、巻き取り可能なシート材から形成されて前記出入口を開閉するスライドシートと、このスライドシートの巻き取り装置とが備えられ、前記した巻取り装置を出入口の上方に設けると共に、前記出入口の左右両側部にスライドレールを取り付け、このスライドシートの下端部にバーを水平方向に配設して、このバーの両端部を前記スライドレールの案内溝に介在させ、巻き取り装置の駆動によるスライドシートの昇降時、前記バーの両端部をスライドレールの案内溝に沿って摺動させるようにしている。（特許文献１参照）
しかしながら前述の文献に開示されている扉装置では、ともするとスライドシートの左右両端部と出入口の左右内側面との間に隙間が生じて、扉内のプライバシーを確実に守ることが困難になる場合があるし、しかもスライドシートの下端部に設けたバーでのみ案内溝に沿って案内するようにしているので、スライドシートの昇降もスムーズに行い難い不具合も考えられる。
【先行技術文献】
【特許文献】
【０００６】
【特許文献１】特開平３−９０７９８号
【発明の概要】
【発明が解決しようとする課題】
【０００７】
本発明は、以上の実情に鑑みて開発したものであって、目的とするところは、扉内部のプライバシーを確実に守ることが出来て、しかも出入口の開閉がスムーズに行なえる出入口用扉装置を提供することにある。
【課題を解決するための手段】
【０００８】
以上の目的を達成するために、請求項１に記載の発明は、建屋の出入口を開閉するための出入口用扉装置であって、巻き取り可能なシート材から形成されて前記出入口を開閉するスライドシートと、出入口の上方に設けられた前記スライドシートの巻き取り装置が備えられ、前記出入口の左右両側部には、スライドシートにおける左右両端部の挿入口を備えたガイドカバーが上下方向に設けられると共に、このガイドカバー内には上下方向に延びるガイドレールが配設され、前記スライドシートの下端部両側には、前記ガイドレールに沿って移動可能とした移動体が設けられ、スライドシートにおける前記挿入口内に挿入された左右両端部には、前記挿入口からの抜け止めのための抜け止め部が長さ方向ほぼ全長にわたって形成されていることを特徴とする。
【０００９】
請求項２に記載の発明は、請求項１に記載の出入口用扉装置において、前記スライドシートの下端部には通気口が設けられていることを特徴とする。
【００１０】
請求項３に記載の発明は、請求項１または２に記載の出入口用扉装置において、前記スライドシートには、ほぼ水平方向に延びる補強骨部が所定間隔毎に設けられている。
【発明の効果】
【００１１】
請求項１に記載の発明によれば、巻き取り可能なシート材から形成されて前記出入口を開閉するスライドシートと、出入口の上方に設けられた前記スライドシートの巻き取り装置が備えられ、前記出入口の左右両側部には、スライドシートにおける左右両端部の挿入口を備えたガイドカバーが上下方向に設けられると共に、このガイドカバー内には上下方向に延びるガイドレールが配設され、前記スライドシートの下端部両側には、前記ガイドレールに沿って移動可能とした移動体が設けられ、スライドシートにおける前記挿入口内に挿入された左右両端部には、前記挿入口からの抜け止めのための抜け止め部が長さ方向ほぼ全長にわたって形成されていることにより、スライドシートによる出入口の閉鎖時、出入口がスライドシートにより確実に閉鎖されるので、扉内部のプライバシーを確実に守ることが出来、しかも出入口の開閉をスムーズに行なうことが出来る。
【００１２】
請求項２に記載の発明によれば、通気口が前記スライドシートの下端部に設けられたことにより、請求項１に記載の発明の効果に加えて、例えば換気扇により室内の空気を外部に排気する際に、室内が負圧になるのを抑制することが出来るので、スライドシートが不用意に扉の内側方向に変形するような悪影響が生じるのを抑制することが出来る。
【００１３】
請求項３に記載の発明によれば、前記スライドシートにほぼ水平方向に延びる補強骨部が所定間隔毎に設けられたことにより、請求項１または２に記載の発明の効果に加えて、スライドシートの昇降時、スライドシートが不用意にバタつくことなく円滑に昇降させることが出来る。
【図面の簡単な説明】
【００１４】
【図１】本発明にかかる出入口用扉装置の一実施形態を示す概略斜視図。
【図２】出入口用扉装置を建屋内のトイレの出入口に取り付けた状態を示す概略説明図。
【図３】出入口用扉装置を建屋内のトイレの出入口に取り付けた状態を平面的に示す概略説明図。
【図４】トイレの出入口に取り付けられた出入口用扉装置の一部を省略して示す拡大断面図。
【図５】本発明にかかる出入口用扉装置の概略縦断面図。
【発明を実施するための形態】
【００１５】
以下、本発明にかかる出入口用扉装置の一実施形態を説明する。
【００１６】
先ず図１は、本発明にかかる出入口用扉装置の概略斜視図、図２は、前記した出入口用扉装置を建屋内のトイレの出入口に取り付けた状態を示す概略説明図、図３は、出入口用扉装置を建屋内のトイレの出入口に取り付けた状態を平面的に示す概略説明図、図４は、出入口用扉装置の一部を省略して示す拡大断面図、図５は、出入口用扉装置の概略縦断面図である。
【００１７】
以上の図において符号２で示す出入口用扉装置は、建屋内のトイレ１の出入口１０に取り付けるものであって、図２において１１は様式の便器、１２はトイレ１を仕切る壁を示している。
【００１８】
以上のトイレ１の出入口１０に取り付けられる扉装置２は、基本的には、出入口１０を開閉するスライドシート３と、このスライドシート３を巻き取るためにトイレ１内における出入口１０の上方に設けられた巻き取り装置４と、出入口１０の左右両側部の壁１２に上下方向に固定されるガイドカバー５と、このガイドカバー５内に上下方向に配設されるガイドレール６と、このガイドレール６に対して移動可能に取り付けられる移動体７とが備えられている。
【００１９】
スライドシート３は、巻き取り可能であって、厚さ約１ミリの柔軟な合成樹脂製シート材から形成されている。
【００２０】
このスライドシート３は、トイレ１内のプライバシーを確保するために不透明とするのが好ましいが、半透明であってもよいし、またスライドシート３は除菌性能を備えた材質から形成してもよい。
【００２１】
またスライドシート３の左右両端部には、カバー体５の後記する挿通孔５３よりも内方においてこの挿通孔５３からの抜け止めのための抜け止め部３０が長さ方向ほぼ全長にわたって形成されている。
【００２２】
この抜け止め部３０は、スライドシート３の左右両端部のみを他の部位の肉厚よりも厚く形成することにより設けられている。
【００２３】
このスライドシート３の下端には、このスライドシート３に対して直交して出入口１０の床面に重合可能なベースプレート３１が設けられると共に、このベースプレート３１よりも上部には、開閉扉３２ａにより開閉可能な通気孔３２が設けられている。
【００２４】
またスライドシート３には、水平方向に延びる補強骨部３３が所定間隔毎に設けられている。
【００２５】
スライドシート３を巻き取る巻き取り装置４は、トイレ１内における出入口１０の上方の壁に取り付けられるハウジング４０と、このハウジング４０内に回転可能に取り付けられた巻取り駆動軸４１と、この巻取り駆動軸４１を駆動するための駆動モーター４２とが備えられている。
【００２６】
この駆動モーター４２は、通常、商用電源により駆動すると共に、停電時などに備えてバッテリー並びに直流を交流に変換する変換装置などが別途備えられて、バッテリー駆動も可能となっている。
【００２７】
なお図２では、電動モーター４２の駆動をオン・オフ操作するための操作スイッチ４２ａは、トイレ１の外の壁１２とトイレ１内部の壁１２に設けられているが、トイレ１の外の壁１２にのみ設けてもよいし、あるいは前述の操作スイッチ４２ａに替えて、例えば出入口１０の内外における人などの有無を検出するための検出センサーを設けて、この検出センサーの検出結果に基いて、駆動モーター４２の駆動を制御するようにしてもよい。
【００２８】
ガイドカバー５は、出入口１０の左右両側部位の壁１２に固定されるベースプレート５１と、このベースプレート５１に組み付けられるカバー本体５２とが備えられ、このカバー本体５２には、スライドシート３の左右両端部が挿通可能で且つ前記した抜け止め部３０が通過不能な幅からなる挿通孔５３が上下方向全長にわたって開設されている。
【００２９】
またこのカバー本体５２の内部空間には、支持ブラケット６０を介して前記したガイドレール６が立設しており、このガイドレール６には移動体７が昇降自在に取り付けられている。
【００３０】
なおこの移動体７には複数のベアリング（図示せず）が装填されて、このベアリングを介してガイドレール６に対して昇降自在となっている。
【００３１】
またこの移動体７は、スライドシート３の下端部両側と連結ブラケット７１を介して連結されている。
【００３２】
またベースプレート３１の下面には、停止スイッチ８ａが組み付けられて、スライドシート３の下降動作に伴い、ベースプレート３１の下面が床面に当接する直前で前記した停止スイッチ８ａが動作して、駆動モーター４２の駆動を停止させるようにしている。
【００３３】
また出入口１０の内側には、出入口１０内の障害物を検出するために複数の障害物検出センサー８ｂが設けられ、この障害物検出センサー８ｂにより出入口１０内の人や物品などを検出するようにしている。
【００３４】
またガイドカバー５内には、例えば所定間隔ごとに昇降検出センサー８ｃが設けられて、  これら昇降検出センサー８ｃの検出結果に基づいてコントローラ（図示せず）によりスライドシート３の昇降速度を算出すると共に駆動モーター４２の回転速度を制御して、スライドシート３の昇降速度を調整するようにしている。
【００３５】
以上の構成からなる出入口用扉装置２は、操作スイッチ４２ａの操作により、駆動モーター４２が駆動して、巻き取り軸４１の巻き取り方向への回転により、スライドシート３が順次巻き取られて、出入口１０が開けられるとともに、出入口１０が全開する時点で、ガイドカバー５内の上端部に設けた停止スイッチ８ｄが作動して、駆動モーター４２が停止し、出入口１０が開いた状態で保たれる。
【００３６】
また開いた出入口１０を閉じたい場合には、操作スイッチの４２ａの操作により、駆動モーター４２が逆転方向に駆動して、巻き取り軸４１の巻き戻し方向への回転により、巻き取り軸４１に巻き取られていたスライドシート３が順次展開されて、出入口１０がスライドシートで覆われるのであり、ベースプレート３１の下面が床面に当接する直前で前記した停止スイッチ８ａが動作して、駆動モーター４２が停止し、出入口１０が閉じた状態で保たれる。
【００３７】
ところで、スライドシート３の幅方向両端部には、抜け止め部３０がその長さ方向全長にわたって設けられているので、前記したスライドシート１０の昇降時、スライドシートの幅方向両端部がガイドカバー５内から不用意に抜け外れることがないのである。
【００３８】
しかもスライドシート３の昇降に際しては、スライドシート３の下端部の両側方に連結した移動体７がガイドレール６にそって上下移動して、スライドシート３の下端部の昇降を確実に案内するのである。
【００３９】
従って、スライドシート１０全体の昇降がスムーズに行なえるし、また出入口１０の全閉時には、トイレ１内のプライバシーが確実に守られるのである。
【００４０】
また以上の扉装置２では、スライドシート３に設けられた通気孔３２がトイレ１の床面近くに形成されているので、トイレ１内のプライバシーを損なう虞はなく、それでいながら例えば換気扇によりトイレ１内の換気を行なっても、トイレ１内が負圧になってスライドシート３がトイレ１内方向に不用意に撓んでしまうような不具合も抑制することが出来る。
【００４１】
以上の実施形態では、トイレ１の出入口１０に設ける扉装置に本発明を適用したが、これに限定されるものではなく、例えばバスルームや寝室などの出入口に設ける扉装置に本発明を適用してもよい。
【符号の説明】
【００４２】
１      トイレ
１０    出入口
２      扉装置
３      スライドシート
３０    抜け止め部
３２    通気孔
４      巻き取り装置
５      ガイドカバー
５３    挿通孔
６      ガイドレール
７      移動体
【図１】
2011058195.tif 000003
【図２】
2011058195.tif 000004
【図３】
2011058195.tif 000005
【図４】
2011058195.tif 000006
【図５】
2011058195.tif 000007